(57)【要約】無線ローカルエリアネットワーク（ＷＬＡＮ）において、共存する８０２．１１ａ／ｅとＨＩＰＥＲＬＡＮ２のシステム間でデータ伝送に対応するために、タイムスロットを割り当てるシステムと方法が提供される。２ｍ秒毎のフレームの定期的な伝送というＨ２規格の要求条件に準拠するため、アクセスポイント（ＡＰ）は、ＱｏＳ  ＣＦ−Ｐｏｌｌ機能を実行し、Ｈ２  ＭＡＣフレームの伝送が、ＣＣＨＣスーパーフレームにおいてｎ＊２ｍ秒間隔で発生することを可能にする。ｎの値は、ＡＰのＨＩＰＥＲＬＡＮ／２のＭＡＣフレームの予定に依存する。特に、ＡＰは、ＱｏＳ  ＣＦ−Ｐｏｌｌ機能を用いて、他のステーションを不活動にさせるために、自分自身にポーリングを行い、各ステーションで所定の期間を割り当て、Ｈ２のフレーム交換を開始する。【特許請求の範囲】
【請求項１】
アクセスポイント（ＡＰ）を有する無線ローカルエリアネットワーク（ＷＬＡＮ）において、複数の第１のステーションと複数の第２のステーションの間の無線チャネル上で、帯域を共有する方法であって、
前記ＡＰによって、前記第１のステーションのそれぞれが、前記無線チャネル上でのデータ伝送のために前記無線チャネルを占有し得る間の所定の時間間隔を示すデータを有する制御フレームを定期的に伝送するステップと、
前記ＡＰによって、前記制御フレームに定められた前記所定の時間間隔が、前記第１のステーションのうちの１つからの最後のフレームの受信に続き、少なくとも１つの前記第２のステーションからの次のフレームのセットの予定された開始の前の時間間隔より長いかどうかを判断するステップと、
もしそうならば、前記ＡＰによって、ポイントフレーム間隔（ＰＩＦＳ）を待ち、その後、前記第２のステーションからの前記次のフレームが、前記無線チャネル上で前記ＡＰに伝送されることが許可されるステップと、
前記複数の第１のステーションから前記ＡＰへの伝送を抑制するステップと
を有する方法。
【請求項２】
請求項１に記載の方法であって、
前記複数の第２のステーションが前記無線チャネル上で前記ＡＰにデータパケットを伝送することを許可するステップを更に有し、
前記データパケットが、前記制御信号に定められた前記所定の時間間隔より短い継続時間を有する方法。
【請求項３】
請求項１に記載の方法であって、
前記制御フレームに定められた前記所定の時間間隔が、前記次のフレームの予定された開始の前の前記時間間隔より短い場合に、前記ＡＰによって、前記無線チャネル上で前記複数の第１と第２のステーションにデータパケットを送信し、
前記データパケットが、前記制御信号に定められた前記所定の時間間隔より短い継続時間を有する方法。
【請求項４】
請求項１に記載の方法であって、
前記制御フレームに定められた前記所定の時間間隔が、前記次のフレームの予定された開始の前の前記時間間隔より短い場合に、前記複数の第１のステーションが前記無線チャネル上で前記ＡＰにデータパケットを伝送することを許可し、
前記データパケットが、前記制御信号に定められた前記所定の時間間隔より短い継続時間を有する方法。
【請求項５】
請求項１に記載の方法であって、
前記ＡＰと前記複数の第１と第２のステーションとの間の前記無線通信が利用可能かどうかを判断するステップと、
もしそうならば、前記複数の第１のステーションから前記ＡＰへの伝送を抑制するステップと、
前記ＡＰから前記複数の第１のステーションに、前記複数の第２のステーションが前記無線チャネルを占有することを許可された継続時間を示す高い優先度の信号を伝送するステップと、
前記複数の第２のステーションが、前記無線チャネル上で前記ＡＰにデータパケットを伝送することを許可するステップと
を更に有し、
前記データパケットが、前記制御信号に定められた前記所定の時間間隔より短い継続時間を有する方法。
【請求項６】
請求項１に記載の方法であって、
前記複数の第１のステーションが８０２．１１準拠のシステムを有する方法。
【請求項７】
請求項１に記載の方法であって、
前記複数の第２のステーションがＨＩＰＥＲＬＡＮ／２準拠のシステムを有する方法。
【請求項８】
請求項１に記載の方法であって、
前記複数の第１のステーションが、前記ＡＰからの許可なしでデータフレームを伝送することが可能であり、前記複数の第２のステーションが、前記ＡＰによって許可された場合にデータフレームを伝送することが可能である方法。
【請求項９】
アクセスポイント（ＡＰ）を有する無線ローカルエリアネットワーク（ＷＬＡＮ）において、複数の第１のステーションと複数の第２のステーションの間の無線チャネル上で、帯域を共有する方法であって、
非衝突期間（ＣＦＰ）モードと、衝突期間（ＣＰ）モードとを有する制御フレームを伝送し、前記制御信号は、前記第１のステーションのそれぞれが前記無線チャネル上でデータ伝送を完了しなければならない所定の時間間隔を示すデータを有するステップと、
前記ＡＰと前記複数の第１と第２のステーションの間の前記無線通信チャネルが利用可能かどうかを判断するステップと、
前記ＣＰモードの間に、前記無線チャネルが利用可能な場合は、前記無線チャネル上で前記複数の第１のステーションの伝送を抑制するために、前記ＡＰにポーリングを行うステップと、
前記複数の第２のステーションが、前記無線チャネル上で前記ＡＰにデータパケットを伝送することを許可するステップとを有し、
前記データパケットが、前記制御信号に定められた前記所定の時間間隔より短い継続時間を有する方法。
【請求項１０】
請求項９に記載の方法であって、
前記複数の第２のステーションが、前記無線チャネル上で前記ＡＰにデータパケットを伝送することを許可するステップは、
前記ＡＰによって、前記制御フレームに定められた前記所定の時間間隔が、前記第１のステーションのうちの１つからの最後のフレームの受信に続き、少なくとも１つの前記第２のステーションからの次のフレームのセットの予定された開始の前の時間間隔より長いかどうかを判断するステップと、
もしそうならば、前記ＡＰによって、前記無線チャネルを制御する時間帯［ｔ１，ｔ２］を判断するステップと、
前記複数の第２のステーションがデータパケットを伝送することを許可する時間帯で、前記無線チャネルを制御するステップと
を更に有する方法。
【請求項１１】
請求項１０に記載の方法であって、
前記時間帯が、次の等式：
［ｔ１，ｔ２］＝［−１＊（ＴＸＯＰ制限＋ＱｏＳ  ＣＦ−Ｐｏｌｌフレーム継続時間＋ＳＩＦＳ），−１＊ＱｏＳ  ＣＦ−Ｐｏｌｌフレーム継続時間＋ＳＩＦＳ］
によって判断され、
ＴＸＯＰ制限は、前記無線チャネルが利用可能であると判断された後に、前記複数の第１のステーションがデータフレームを伝送し得る前記所定の時間間隔を表し、
ＱｏＳ  ＣＦ−Ｐｏｌｌフレーム継続時間は、前記ＡＰに前記複数の第１のステーションからの伝送を抑制することを指示するために用いられるＱｏＳ  ＣＦ−Ｐｏｌｌフレームの継続時間を表し、
ＳＩＦＳは、短いフレーム間隔の継続時間を表す方法。
【請求項１２】
請求項１０に記載の方法であって、
前記無線チャネルが利用可能でない場合、前記無線チャネルが利用可能になるとすぐに、前記複数の第２のステーションが、前記無線チャネル上で前記ＡＰにデータパケットを伝送することを許可する方法。
【請求項１３】
請求項１０に記載の方法であって、
前記制御フレームに定められた前記所定の時間間隔が、前記次のフレームの予定された開始の前の前記時間間隔より短い場合に、前記ＡＰによって、前記無線チャネル上で前記複数の第１と第２のステーションにデータパケットを伝送し、
前記データパケットは、前記制御信号に定められた前記所定の時間間隔より短い継続時間を有する方法。
【請求項１４】
請求項１０に記載の方法であって、
前記制御フレームに定められた前記所定の時間間隔が、前記次のフレームの予定された開始の前の前記時間間隔より短い場合に、前記複数の第１のステーションが前記無線チャネル上で前記ＡＰにデータパケットを伝送することを許可し、
前記データパケットは、前記制御信号に定められた前記所定の時間間隔より短い継続時間を有する方法。
【請求項１５】
請求項９に記載の方法であって、
前記ＣＦＰモードの間に、前記無線チャネルが利用可能な場合に、前記方法は、
前記ＡＰから前記複数の第１と第２のステーションに、前記複数の第１と第２のステーションが前記無線チャネルを占有することを許可された継続時間を示す高い優先度の信号を伝送するステップと、
前記複数の第２のステーションが前記無線チャネル上で前記ＡＰにデータパケットを伝送することを許可するステップとを更に有し、
前記データパケットが、前記制御信号に定められた前記所定の時間間隔より短い継続時間を有する方法。
【請求項１６】
請求項９に記載の方法であって、
前記複数の第１のステーションが８０２．１１準拠のシステムを有する方法。
【請求項１７】
請求項９に記載の方法であって、
前記複数の第１のステーションが、前記ＡＰからの許可なしでデータフレームを伝送することが可能であり、前記複数の第２のステーションが、前記ＡＰによって許可された場合にデータフレームを伝送することが可能である方法。
【請求項１８】
請求項１０に記載の方法であって、
前記複数の第２のステーションがＨＩＰＥＲＬＡＮ／２準拠のシステムを有する方法。
【請求項１９】
アクセスポイント（ＡＰ）を有する無線ローカルエリアネットワーク（ＷＬＡＮ）において、複数の第１のステーションと複数の第２のステーションの間の無線チャネル上で、データを受信し、伝送するローカルエリアネットワークステーションのシステムであって、
前記無線チャネル上で、データを受信する受信手段と、
前記第１と第２のステーションのそれぞれに所定の時間間隔を割り当て、前記無線チャネル上でデータ伝送を開始するように構成されたＣＣＨＣ回路と、
前記ＣＣＨＣに結合し、前記複数の第１と第２のステーションに信号を伝送し、及びそれらから信号を受信する信号処理回路とを有し、
前記信号処理回路は、それに受信された信号を処理し、前記複数の第２のステーションが前記無線チャネル上で前記ＡＰにデータパケットを伝送することを許可し、
前記データパケットが、前記制御信号に定められた前記所定の時間間隔より短い継続時間を有するシステム。
【請求項２０】
請求項１９に記載のシステムであって、
前記無線チャネル上でデータを伝送する伝送手段を更に有するシステム。
【請求項２１】
請求項１９に記載のシステムであって、
前記ＣＣＨＣは、前記複数の第２のステーションがデータパケットを伝送することを許可する場合に、前記複数の第１と第２のステーションからの伝送を抑制するように更に動作するシステム。
【請求項２２】
請求項１９に記載のシステムであって、
前記ＣＣＨＣは、前記複数の第２のステーションがデータパケットを伝送することを許可する定められた時間帯［ｔ１，ｔ２］内で、前記無線チャネルを制御するように更に動作するシステム。
【請求項２３】
請求項２２に記載のシステムであって、
前記時間帯が、次の等式：
［ｔ１，ｔ２］＝［−１＊（ＴＸＯＰ制限＋ＱｏＳ  ＣＦ−Ｐｏｌｌフレーム継続時間＋ＳＩＦＳ），−１＊ＱｏＳ  ＣＦ−Ｐｏｌｌフレーム継続時間＋ＳＩＦＳ］
によって判断され、
ＴＸＯＰ制限は、前記無線チャネルが利用可能であると判断された後に、前記複数の第１のステーションがデータフレームを伝送し得る前記所定の時間間隔を表し、
ＱｏＳ  ＣＦ−Ｐｏｌｌフレーム継続時間は、前記ＡＰに前記複数の第１のステーションからの伝送を抑制することを指示するために用いられるＱｏＳ  ＣＦ−Ｐｏｌｌフレームの継続時間を表し、
ＳＩＦＳは、短いフレーム間隔の継続時間を表すシステム。
【請求項２４】
請求項１９に記載のシステムであって、
前記ＣＣＨＣは、前記所定の時間間隔が、前記複数の第２のステーションによる次のフレームの予定された開始の前の残り時間未満である場合に、前記無線チャネル上で前記複数の第１と第２のステーションにデータパケットを伝送するように更に動作するシステム。
【請求項２５】
請求項１９に記載のシステムであって、
前記ＣＣＨＣは、前記所定の時間間隔が、前記複数の第２のステーションによる次のフレームの予定された開始の前の残り時間未満である場合に、前記複数の第１と第２のステーションが、前記無線チャネル上で前記所定の時間間隔より短い継続時間を有するデータパケットを伝送することを許可するように更に動作するシステム。
【請求項２６】
請求項１９に記載のシステムであって、
前記複数の第１のステーションが８０２．１１準拠のシステムを有するシステム。
【請求項２７】
請求項１９に記載のシステムであって、
前記複数の第２のステーションがＨＩＰＥＲＬＡＮ／２準拠のシステムを有するシステム。
【発明の詳細な説明】
【０００１】
本発明は、時分割方式で２つの異なるシステム間の帯域を共有する仕組みに関する。特に、本発明は、８０２．１１ａ／ｅとＨＩＰＥＲＬＡＮ／２（Ｈ／２）とのシステム間で帯域を共有する８０２．１１ｅハイブリッドコーディネーション機能（ＨＣＦ）を使用する媒体アクセス制御（ＭＡＣ）の構成に関する。
【０００２】
無線ローカルエリアネットワーク（ＷＬＡＮ）は、オフィスや、家や、生産や、公共の環境内に、無線アクセスの柔軟性を提供するように設計された急成長市場である。この前例のない成長は、携帯用エンドユーザ装置の人気と無線データ通信における進歩とによって支えられる。
【０００３】
一般的に、ＷＬＡＮの２つの形式が存在する：つまり、インフラベースと、アドホックである。インフラベースの無線ネットワークにおいて、一般的に通信は、無線ノードとアクセスポイント（ＡＰ）との間でのみ行われ、直接無線ノード間で行われない。ステーション（ＳＴＡ）と言われる無線ノードは、ＡＰを介してデータを交換し得る。同じ無線通信範囲内のステーションとＡＰのセットは、基本サービスセット（ＢＳＳ）として知られている。ＡＰの主要な機能は、ローミング（すなわちアクセスポイントの変更）に対応し、ＢＳＳ内で同期を行い、出力管理に対応し、ＢＳＳ内の時間制限のあるサービスに対応するために媒体アクセスの制御を行うことである。いくつかのＢＳＳ（又はＡＰ）が、分配システム（ＤＳ）と呼ばれるシステムを介して相互接続され、無線通信範囲領域に広がる単一のネットワークを形成する。アドホックネットワークにおいては、ノードがそれぞれの他の無線範囲内にある場合、又は他のノードがメッセージを転送し得る場合に、各ノードが他のノードと通信し得る。
【０００４】
有線の技術と対照的に、一般的にＷＬＡＮは、建物や、構内や、単一の部屋等の直径に制限され、無線伝送の制限（すなわち、一般的に１−１１Ｍｂｉｔ／ｓ）により、かなり小さい帯域を有する。従って、ＷＬＡＮにおいて、無線リンク帯域を効率的に利用することが非常に望ましい。無線ベースのネットワークにおいて、衝突検出は比較的容易に実行され得る。しかし、単一のチャネルを使用する無線ベースのネットワークにおいて衝突を検出することはより困難である。従って、一般的にＷＬＡＮは、衝突検出の代わりに衝突回避の仕組みを使用する。
【０００５】
ＷＬＡＮは、ＩＥＥＥ８０２．１１規格に述べられる通り、ＣＳＭＡ／ＣＡ（キャリア検知多重アクセス衝突回避）を用いた媒体アクセス制御（ＭＡＣ）プロトコルに基づいて構成され得る。ＩＥＥＥ８０２．１１規格は、国際標準ＩＳＯ／ＩＥＣ  ８８０２−１１の“Ｉｎｆｏｒｍａｔｉｏｎ  Ｔｅｃｈｎｏｌｏｇｙ−−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ａｒｅａ  ｎｅｔｗｏｒｋｓ”１９９９版に定義され、その全てが参照として本願に取り込まれる。ＩＥＥＥ８０２．１１ａは、５ＧＨｚ周波数帯で６−５４Ｍｂｉｔ／ｓに対応するためのＩＥＥＥ８０２．１１の物理レイヤ（ＰＨＹ）の拡張である。ヨーロッパにおいては、ヨーロッパ電気通信標準化機構（ＥＴＳＩ）によって示されるＨＩＰＥＲＬＡＮ２（Ｈ２）規格が、ＷＬＡＮの代わりに、５ＧＨｚ周波数帯で物理レイヤユニットに対応するためのＭＡＣと物理の特徴を定めている。
【０００６】
同じ周波数チャネルでＩＥＥＥ８０２．１１とＨ２との双方に準拠するシステムが共存する場合、そのシステムは、大幅にネットワークの性能を低下することにより、それぞれ同一チャネルの干渉体として働く。従って、システム間の帯域の時分割を提供する集中コントローラが必要とされる。それゆえに、本発明は、時分割方式で帯域を共有することにより、双方のシステムのＱｏＳ対応を犠牲にせず、相互作用の間に多くの帯域を浪費しない、共存する８０２．１１ａ／ｅ（８０２．１１ｅはＱｏＳに対応するＭＡＣの拡張である）とＨ２ネットワーク上で信号伝送を制御する仕組みを提供する。
【０００７】
本発明は、無線ローカルエリアネットワーク（ＷＬＡＮ）において、共存する８０２．１１ａ／ｅとＨ２システム間のデータ伝送に対応するタイムスロットを割り当てるシステムと方法を対象にする。
【０００８】
本発明の一形態によると、アクセスポイント（ＡＰ）を有する無線ローカルエリアネットワーク（ＷＬＡＮ）において、複数の第１のステーションと複数の第２のステーションの間の無線チャネル上で、帯域を共有する方法は：前記ＡＰによって、前記第１のステーションのそれぞれが、前記無線チャネル上でのデータ伝送のために前記無線チャネルを占有し得る間の所定の時間間隔を示すデータを有する制御フレームを定期的に伝送するステップと；前記ＡＰによって、前記制御フレームに定められた前記所定の時間間隔が、前記第１のステーションのうちの１つからの最後のフレームの受信に続き、前記第２のステーションからの次のフレームのセットの予定された開始の前の時間間隔より長いかどうかを判断するステップと；もしそうならば、前記ＡＰによって、ポイントフレーム間隔（ＰＩＦＳ）を待ち、その後、前記第２のステーションからの前記次のフレームが、前記無線チャネル上で前記ＡＰに伝送されることが許可されるステップと；前記複数の第１のステーションから前記ＡＰへの伝送を抑制するステップと；前記複数の第２のステーションが前記無線チャネル上で前記ＡＰにデータパケットを伝送することを許可するステップとを有し、前記データパケットが、前記制御信号に定められた前記所定の時間間隔より短い継続時間を有する。前記制御フレームに定められた前記所定の時間間隔が、前記次のフレームの予定された開始の前の時間間隔より短い場合に、前記ＡＰによって、前記無線チャネル上で前記複数の第１と第２のステーションにデータパケットを伝送し、前記データパケットは、前記制御信号に定められた前記所定の時間間隔より短い継続時間を有するか、又は前記複数の第１のステーションが前記無線チャネル上で前記ＡＰにデータパケットを伝送することを許可し、前記データパケットは、前記制御信号に定められた前記所定の時間間隔より短い継続期間を有する。本方法は、前記ＡＰと前記複数の第１と第２のステーションとの間の前記無線チャネルが利用可能かどうかを判断するステップと；もしそうならば、前記複数の第１のステーションから前記ＡＰへの伝送を抑制するステップと；前記ＡＰから前記複数の第１のステーションに、前記複数の第２のステーションが前記無線チャネルを占有することを許可された継続時間を示す高い優先度の信号を伝送するステップと；前記複数の第２のステーションが前記無線チャネル上で前記ＡＰにデータパケットを伝送することを許可するステップとを更に有し、前記データパケットが、前記制御信号に定められた前記所定の時間間隔より短い継続時間を有する。前記複数の第１のステーションは、前記ＡＰからの許可なしでデータフレームを伝送することが可能であり、前記複数の第２のステーションは、前記ＡＰによって許可された場合にデータフレームを伝送することが可能である。
【０００９】
本発明の他の形態によると、アクセスポイント（ＡＰ）を有する無線ローカルエリアネットワーク（ＷＬＡＮ）において、複数の第１のステーションと複数の第２のステーションの間の無線チャネル上で、帯域を共有する方法は：非衝突期間（ＣＦＰ）モードと、衝突期間（ＣＰ）モードとを有する制御フレームを伝送し、前記制御信号は、前記第１のステーションのそれぞれが前記無線チャネル上でデータ伝送を完了しなければならない所定の時間間隔を示すデータを有するステップと；前記ＡＰと前記複数の第１と第２のステーションの間の前記無線通信チャネルが利用可能かどうかを判断するステップと；前記ＣＰモードの間に、前記無線チャネルが利用可能な場合は、前記無線チャネル上で前記複数の第１のステーションの伝送を抑制するために、前記ＡＰにポーリングを行うステップと；前記複数の第２のステーションが、前記無線チャネル上で前記ＡＰにデータパケットを伝送することを許可するステップとを有し、前記データパケットが、前記制御信号に定められた前記所定の時間間隔より短い継続時間を有する。前記複数の第２のステーションが、前記無線チャネル上で前記ＡＰにデータパケットを伝送することを許可するステップは：前記ＡＰによって、前記制御フレームに定められた前記所定の時間間隔が、前記第１のステーションのうちの１つからの最後のフレームの受信に続き、少なくとも１つの前記第２のステーションからの次のフレームのセットの予定された開始の前の時間間隔より長いかどうかを判断するステップと；もしそうならば、前記ＡＰによって、前記無線チャネルを制御する時間帯［ｔ１，ｔ２］を判断するステップと；前記複数の第２のステーションがデータパケットを伝送することを許可する時間帯で、前記無線チャネルを制御するステップとを更に有し、前記時間帯が、次の等式：［ｔ１，ｔ２］＝［−１＊（ＴＸＯＰ制限＋ＱｏＳ  ＣＦ−Ｐｏｌｌフレーム継続時間＋ＳＩＦＳ），−１＊ＱｏＳ  ＣＦ−Ｐｏｌｌフレーム継続時間＋ＳＩＦＳ］によって判断され、ＴＸＯＰ制限は、前記無線チャネルが利用可能であると判断された後に、前記複数の第１のステーションがデータフレームを伝送し得る所定の時間間隔を表し、ＱｏＳ  ＣＦ−Ｐｏｌｌフレーム継続時間は、前記ＡＰに前記複数の第１のステーションからの伝送を抑制することを指示するために用いられるＱｏＳ  ＣＦ−Ｐｏｌｌフレームの継続時間を表し、ＳＩＦＳは、短いフレーム間隔の継続時間を表す。前記無線チャネルが利用可能でない場合、前記無線チャネルが利用可能になるとすぐに、前記複数の第２のステーションが、前記無線チャネル上で前記ＡＰにデータパケットを伝送することを許可する。前記制御フレームに定められた前記所定の時間間隔が、前記次のフレームの予定された開始の前の前記時間間隔より短い場合に、前記ＡＰによって、前記無線チャネル上で前記複数の第１と第２のステーションにデータパケットを伝送し、前記データパケットは、前記制御信号に定められた前記所定の時間間隔より短い継続時間を有するか、又は前記複数の第１のステーションが前記無線チャネル上で前記ＡＰにデータパケットを伝送することを許可し、前記データパケットは、前記制御信号に定められた前記���定の時間間隔より短い継続時間を有する。前記ＣＦＰモードの間に、前記無線チャネルが利用可能な場合に、前記方法は：前記ＡＰから前記複数の第１と第２のステーションに、前記複数の第１と第２のステーションが前記無線チャネルを占有することを許可された継続時間を示す高い優先度の信号を伝送するステップと；前記複数の第２のステーションが前記無線チャネル上で前記ＡＰにデータパケットを伝送することを許可するステップとを更に有し、前記データパケットが、前記制御信号に定められた前記所定の時間間隔より短い継続時間を有する。
【００１０】
本発明の更なる形態によると、アクセスポイント（ＡＰ）を有する無線ローカルエリアネットワーク（ＷＬＡＮ）において、複数の第１のステーションと複数の第２のステーションの間の無線チャネル上で、データを受信し、伝送するローカルエリアネットワークシステムは：前記無線チャネル上で、データを受信する受信手段と；前記無線チャネル上でデータを伝送する伝送手段と；前記第１と第２のステーションのそれぞれに所定の時間間隔を割り当て、前記無線チャネル上でデータ伝送を開始するように構成されたＣＣＨＣ回路と；前記ＣＣＨＣに結合し、前記複数の第１と第２のステーションに信号を伝送し、及びそれらから信号を受信する信号処理回路とを有し、前記信号処理回路は、それに受信された信号を処理し、前記複数の第２のステーションが前記無線チャネル上で前記ＡＰにデータパケットを伝送することを許可し、前記データパケットが、前記制御信号に定められた前記所定の時間間隔より短い継続時間を有する。前記ＣＣＨＣは、前記複数の第２のステーションがデータパケットを伝送することを許可する場合に、前記複数の第１と第２のステーションからの伝送を抑制するように更に動作する。前記ＣＣＨＣは、前記所定の時間間隔が、前記複数の第２のステーションによる次のフレームの予定された開始の前の残り時間未満である場合に、前記無線チャネル上で前記複数の第１と第２のステーションにデータパケットを伝送するように更に動作する。前記ＣＣＨＣは、前記所定の時間間隔が、前記複数の第２のステーションによる次のフレームの予定された開始の前の残り時間未満である場合に、前記複数の第１と第２のステーションが、前記無線チャネル上で前記所定の時間間隔より短い継続時間を有するデータパケットを伝送することを許可するように更に動作する。
【００１１】
本発明の前述及びその他の特徴と利点は、添付の図面に示される通り、以下の更に詳細な望ましい実施例の説明から明白になる。図面において多様な図を通して、参照文字は同じ部分を参照する。
【００１２】
以下の説明において、本発明の完全なる理解を提供するために、限定ではなく説明の目的で、特定の構成や、インタフェースや、技術等の特定の詳細が示される。不要な詳細で本発明の説明を不明瞭にしないように、簡単さと明確さの目的で、周知の装置や、回路や方法の詳細な説明が省略される。
【００１３】
本発明の理解を助けるため、以下の定義が用いられる：
“分散コーディネーション機能（ＤＣＦ）”は、ネットワークが動作中の場合は常に、ＢＳＳ内の各ステーションにおいて、同じコーディネーション機能のロジックが動作中であるコーディネーション機能の一種である。
【００１４】
“ポイントコーディネーション機能（ＰＣＦ）”は、ネットワークが動作中である何らかの所定の時間に、ＢＳＳ内の１つのステーションにおいてのみ、コーディネーション機能のロジックが動作中である可能性のあるコーディネーション機能の一種である。
【００１５】
“非衝突期間（ＣＦＰ）”は、ＢＳＳ内の衝突なしで、フレーム交換が生じる期間である。
【００１６】
“衝突期間（ＣＰ）”は、ＤＣＦ又はＨＣＦが動作中の場合に、ＢＳＳの動作中の期間であり、伝送する権利が、キャリア検知多重アクセス衝突回避（ＣＳＭＡ／ＣＡ）を用いてローカルで定められる。
【００１７】
“ハイブリッドコーディネーション機能（ＨＣＦ）”は、ＤＣＦとＰＣＦの特徴を組み合わせたコーディネーション機能であり、ＱｏＳ機能に必要な媒体アクセス制御（ＭＡＣ）サービスのデータユニット（ＭＳＤＵ）を選択的に処理することを備え、ステーションが、ＣＦＰとＣＰの双方の間に同一のセットのフレーム交換シーケンスを使用することを可能にする。
【００１８】
“相互作用”は、中央で協調する装置が、８０２．１１とＨ２モードで動作可能な、すなわち、時間で２つのモード間を切り替えることによる、統合プロトコルにおけるＨｉｐｅｒＬＡＮ／２（Ｈ２）とＩＥＥＥ８０２．１１ａ端末との間の通信を参照する。
【００１９】
“伝送機会（ＴＸＯＰ）”は、特定のステーションが、無線媒体上で伝送を開始する権利を有する期間である。ＴＸＯＰは、開始時間と最大継続時間によって規定される。
【００２０】
“ポイントコーディネーション機能（ＰＣＦ）フレーム間隔（ＰＩＦＳ）”は、無線媒体にアクセスする優先レベル、又は何らかのフレーム伝送の前の待ち時間である。
【００２１】
“Ｈ２  ＭＡＣフレーム”は、Ｈ２  ＳＴＡの複数の伝送であり、（１）ＡＰによる制御ブロードキャストと、（２）ＡＰによるデータ伝送と、（３）ＳＴＡからのデータ伝送とからなる。各Ｈ２  ＭＡＣフレームは２ｍ秒の長さであり、ＡＰからのビーコン伝送で始まり、ビーコンは２ｍ秒毎に定期的に伝送される。各Ｈ２  ＳＴＡは、ＡＰによって判断され、Ｈ２  ＭＡＣフレーム内の制御ブロードキャスト段階の間に通知される特定の期間、ＡＰの許可毎にデータを送信可能である。
【００２２】
以下、図を参照して本発明について詳細に説明が行われる。
【００２３】
図１は、本発明の実施例が適用される典型的なネットワークを示したものである。図１に示す通り、アクセスポイント（ＡＰ）２は、複数の移動ステーション（ＳＴＡｉ）につながり、無線リンクを通じて、複数の無線チャネルを介して、お互いに及びＡＰ２と通信する。図１に示す通り、前記ＡＰ２は、時分割方式で帯域を共有するために、同じＢＳＳ内に共存する８０２．１１ａ／ｅ４及び６と、Ｈ２  ８システムとを制御する。このために、実現された８０２．１１ａ／ｅのＭＡＣ／ＰＨＹと、Ｈ２のＭＡＣ／ＰＨＹの双方を有する、ハイブリッドＨ２中央コントローラ（ＣＣ）と、８０２．１１ａ／ｅハイブリッドコーディネータ（ＨＣ）（以下、“ＣＣＨＣ”と称される）が、前記ＡＰ２に備えられ、８０２．１１ａ／ｅとＨ２装置との間の帯域の時分割を提供する。前記ＣＣＨＣは、継続する基盤内の同じＢＳＳ内に位置する全ての８０２．１１ａ／ｅステーションとＨ２移動端末と通信し、前記無線チャネル上で通信を提供する。加えて、８０２．１１ｅ規格案でＣＦＰとＣＰの双方でポーリングの仕組みを可能にする、８０２．１１ｅハイブリッドコーディネーション機能（ＨＣＦ）は、前記ＡＰ２において実現され、Ｈ／２  ＭＡＣフレームをＣＣＨＣスーパーフレームに定期的に又は排他的に割り当て得る（後述する）。説明目的のため、図１に限られた数のＳＴＡが示されているが、前記ＡＰ２は、より多くのＳＴＡの間の同時の通信に対応可能である。従って、図面のＳＴＡの数は、本発明の範囲に制限を課すものではない。
【００２４】
図２は、本発明の望ましい実施例によるＷＬＡＮの簡略化したブロック図を示したものである。図２の例示的な実施例は、説明のみの目的であり、従って、ネットワークステーションに往復してメッセージを転送するサーバステーションで使用する他の形式のローカルエリアネットワークが使用され得る。前記ＡＰ２は、ローカルエリアネットワーク内のネットワークステーションが通信し得る他の装置及び／又はネットワークに接続され得る。図２に示す通り、各ステーションは、通信チャネル上でデータ信号を伝送し受信するように構成されたアンテナ１０を有する。前記ＡＰ２は、復調装置１２と、アンテナ１０を介して受信された信号を処理する信号プロセッサ１４と、変調装置１６と、メモリ１８と、ＣＣＨＣ回路２０とを有する。前記信号プロセッサ１４はまた、アンテナ１０を介して、前記ＡＰ２による伝送に向けられた信号を処理する。前記信号プロセッサ１４の入力ポートは、前記ＣＣＨＣ回路２０の出力ポートからＣＣＨＣ信号を受信するように構成される。前記ＣＣＨＣ回路２０は、ＣＣＨＣパラメータの値を蓄積するように構成されたメモリ１８の入力ポートにつなげられる。
【００２５】
本発明の実施例によると、前記ＡＰ２は、非衝突スケジューリング（ＣＦ−Ｓｃｈｅｄｕｌｉｎｇ）又はポーリング（ＣＦ−Ｐｏｌｌｉｎｇ）を用いて、ＨＩＰＥＲＬＡＮ／２  ＭＡＣフレームをＣＣＨＣスーパーフレームに定期的に又は排他的に割り当てるために、ハイブリッドコーディネーション機能（ＨＣＦ）を更に有する。
【００２６】
図３は、本発明に従って、Ｈ２  ＭＡＣフレームをＣＣＨＣスーパーフレームに割り当てるためのハイブリッドコーディネーション機能（ＨＣＦ）の動作処理を示したものである。図３に示す通り、前記ＡＰ２は、前記無線媒体へのアクセスを制御するビーコンフレームを伝送することにより、ＣＣＨＣスーパーフレームを開始する。前記ＣＣＨＣスーパーフレームは、非衝突期間（ＣＦＰ）と衝突期間（ＣＰ）とを有し、前記ＡＰ２により一定間隔で定期的に繰り返される。ＣＣＨＣスーパーフレームの間、複数の“伝送機会（ＴＸＯＰ）”が存在し、それは、特定のステーション、８０２．１１ａ／ｅ又はＨ２のいずれかが前記無線媒体上の伝送を開始する権利を有する期間を表す。従って、前記ＴＸＯＰは、開始時間と最大継続時間によって規定される。２ｍ秒の継続時間の各Ｈ２  ＭＡＣフレームは、基本的に（１）前記ＣＣＨＣからのブロードキャスト制御伝送と、（２）前記ＣＣＨＣからのダウンリンク（すなわち、ＣＣＨＣからＨ２  ＳＴＡへの）データ伝送と、（３）前記Ｈ２  ＳＴＡからのアップリンク（すなわち、Ｈ２  ＳＴＡからＣＣＨＣへの）データ伝送とを有する。各Ｈ２  ＭＡＣフレームは、図３でＢＣＨと称されるＨ２ビーコンの伝送で始まる。
【００２７】
続いて図３を参照すると、少なくとも１つのデータフレームの交換を可能にするために、前記ＣＰは、各ＣＦＰ繰り返し間隔の後に利用可能でなければならない。前記ＣＦＰの間、前記無線チャネル上の制御は、完全にＣＣＨＣのもとにあり、前記ＳＴＡのＤＣＦ動作はこの期間は一時停止している。前記ＴＸＯＰは、前記ＣＣＨＣによりＱｏＳ  ＣＦ−Ｐｏｌｌフレームを介して、ＳＴＡに与えられ、各ＴＸＯＰの開始時間と最大継続時間は、前記ＱｏＳ  ＣＦ−Ｐｏｌｌフレームのヘッダを通じてＨＣＦによって指定される。前記ＱｏＳ  ＣＦ−Ｐｏｌｌ信号を受信した後、何を伝送すべきかについての判断が、各ステーションで各ＴＸＯＰ制限内にＭＡＣの構成要素によりローカルで行われる。前記ＣＰの間、前記ＤＣＦ動作が可能になり、ＳＴＡの各ＴＸＯＰが、前記媒体がＤＣＦルールのもとで前記ＳＴＡによって利用可能になると判断されるとき（ＤＣＦ  ＴＸＯＰと称される）、又は、前記ＳＴＡが前記ＨＣＦからＱｏＳ  ＣＦ−Ｐｏｌｌを受信するとき（許可されたＴＸＯＰと称される）のいずれかに始まる。ＤＣＦ  ＴＸＯＰの継続時間は、ビーコンフレームに割り勝てられたＴＸＯＰ制限によって制限され、許可されたＴＸＯＰの継続時間は、前記ＣＦＰにおいて許可されたＴＸＯＰと同様に、前記ＱｏＳ  ＣＦ−Ｐｏｌｌフレームのヘッダに定められる。帯域の共有を提供する重要な特徴は、前記ＨＣＦが選択的にＴＸＯＰを前記ＣＦＰと前記ＣＰの双方に割り当て、予定されたＨ２  ＭＡＣフレームをＣＣＨＣスーパーフレームに定期的に許可することを可能にすることにある。すなわち、Ｈ２規格は、２ｍ秒毎のビーコンの定期的な伝送（すなわち、ブロードキャストチャネル又はＨ２規格の用語によるＢＣＨ）を定義するが、前記Ｈ２  ＭＡＣフレームは、ｎ＊２ｍ秒の間隔で定期的に割り当てられ、ｎの値は、前記Ｈ２  ＭＡＣフレーム伝送の予定によって時間により変化し得る。ｎの値が１以上の場合に生じ得る、Ｈ２  ＭＡＣフレームが割り当てられない場合、前記Ｈ２  ＳＴＡは前記ＢＣＨを受信せず、チャネルエラーが生じたと仮定し、それゆえ、通常のＨ２動作は影響され得ない。従って、前記ＨＣＦ（ＡＰ２  ＭＡＣの機能）は、ＴＸＯＰのウィンドウが前記Ｈ２  ＭＡＣフレーム間隔と一致するように、ＣＰＦとＣＰモードの双方においてデータ伝送を可能にする無線チャネル上でアクセスの仕組みを提供しなければならない。
【００２８】
本発明に従って、共存する８０２．１１ａ／ｅ４及び６とＨ２  ８システムとの間のデータ伝送に対応する割り当てられたタイムスロットの提供が、詳細な説明により説明される。
【００２９】
図４を参照すると、前記ＣＦＰの間、前記無線チャネル上の制御が、完全に前記ＣＣＨＣのもとにあり、前記ＳＴＡのＤＣＦ動作はこの期間は一時停止している。すなわち、前記ＣＣＨＣは、必要な場合はいつでも予定に従ってＨ２  ＭＡＣフレームを割り当てることができる。２ｍ秒毎にフレームを定期的に割り当てるというＨ２規格の要求条件に準拠するために、前記ＨＣＦは、前記ＣＣＨＣスーパーフレームにＨ２  ＭＡＣ割り当て予定に従ってＢＣＨをｎ＊２ｍ秒間隔で送信することにより、Ｈ２  ＭＡＣフレームを開始する。その他、ＣＦＰの間に前記Ｈ２  ＭＡＣフレームが予定されない場合、前記ＣＣＨＣは、ダウンリンク（すなわち、ＣＣＨＣから８０２．１１ＳＴＡへの）フレームと、ＱｏＳ  ＣＦ−Ｐｏｌｌフレームとを伝送することにより、８０２．１１ＳＴＡのネットワーク動作を実行し得る。
【００３０】
対照的に、前記ＣＰの間、前記無線チャネル上の制御は、完全にはＣＣＨＣのもとにはない。しかし、前記ＣＣＨＣは、前記チャネルのＰＦＩＳの長いアイドル間隔の後に、ダウンリンクフレーム又はＱｏＳ  ＣＦ−Ｐｏｌｌフレームを伝送することにより、前記無線チャネル上の制御を得ることができる。このことは、ＤＣＦのもとで動作する他のＳＴＡ上の前記ＣＣＨＣに高い優先度を与え、フレームを伝送するための少なくともＤＩＦＳ（ＰＩＦＳより長い）のアイドル時間を必要とする。
【００３１】
図５を参照すると、前記ＣＰの間、前記媒体がＤＣＦルールのもとで利用可能になると判断されるとき（ＤＣＦ  ＴＸＯＰと称される）、すなわち、ＤＩＦＳに加えてバックオフ時間の後、又は、前記ステーションが前述の通り前記ＨＣＦからＱｏＳ  ＣＦ−Ｐｏｌｌを受信したとき（許可されたＴＸＯＰと称される）に、各ＴＸＯＰが始まる。ＤＣＦ  ＴＸＯＰの継続時間は、前記ＣＣＨＣによって決定される“ＴＸＯＰ制限”によって制限され、定期的にビーコンフレームを介して通知される。また、許可されたＴＸＯＰの継続時間は、前記ＱｏＳ  ＣＦ−Ｐｏｌｌフレームヘッダに定められる。前記許可されたＴＸＯＰの間、その許可されたＴＸＯＰが非衝突であり得るように、ポーリングされたＳＴＡ以外の全てのＳＴＡは、前記ＣＤＦ動作を無効にする。前記Ｈ２  ＭＡＣフレームは、ｎ＊２ｍ秒の間隔で割り当てられなければならないため、前記ＨＣＦは、前記ＣＰの間の特定の時間（簡単にするために、図５において“残り時間”と示される）に、前記チャネルにアクセスしなければならず、それによって、前記Ｈ２  ＭＡＣフレームの割り当てがｎ＊２ｍ秒間隔で生じ得る。ｎの値は、前記ＣＣＨＣの予定によって決定される。このことを達するために、前記ＣＣＨＣは、高い優先度を用い、前記Ｈ２  ＭＡＣフレームを伝送することを望む期間に、不活動のＢＳＳ内の全ステーションを抑制する前に、自分に向けたれたＱｏＳ  ＣＦ−Ｐｏｌｌフレームを伝送する。別の方法で述べたが、割り当てられる必要のある次のＨ２  ＭＡＣフレームが、ｔ＝０の時間に生じなければならない場合に、ＰＩＦＳに続くＨ２  ＭＡＣフレーム伝送のための前記ＣＣＨＣによって自分に送信されたＱｏＳ  ＣＦ−Ｐｏｌｌは、ｔ＝０の前に生じなければならない。従って、最後のＴＸＯＰの後、前記ＣＣＨＣは、前記ＰＩＦＳの継続時間を待ち、他のステーションに前記ＱｏＳ  ＣＦ−Ｐｏｌｌ信号を伝送し、ｔ＝０の後に次のＨ２  ＭＡＣフレームの伝送を可能にする。ＱｏＳ  ＣＦ−Ｐｏｌｌフレームとその後のＨ２  ＭＡＣフレームのＢＣＨの間に、少なくとも短いフレーム間隔（ＳＩＦＳ）の時間間隔がなければならないことに注意すべきである。
【００３２】
予定された通り前記Ｈ２  ＭＡＣフレームの開始を保証するため、前記ＣＣＨＣは、前記Ｈ２  ＭＡＣフレームの予定された時間の前に前記チャネルにアクセスする必要がある。従って、前記ＣＣＨＣがｔ＝０においてＨ２  ＭＡＣフレームを開始したい場合には、前記ＣＣＨＣは、［−１＊（ＴＸＯＰ制限＋ＱｏＳ  ＣＦ−Ｐｏｌｌフレーム継続時間＋ＳＩＦＳ），−１＊（ＱｏＳ  ＣＦ−Ｐｏｌｌフレーム継続時間＋ＳＩＦＳ）］の時間内に前記チャネルにアクセスしなければならない。ｔ＝−１＊（ＴＸＯＰ制限＋ＱｏＳ  ＣＦ−Ｐｏｌｌフレーム継続時間＋ＳＩＦＳ）の時に前記チャネルがアイドルである場合は、前記ＣＣＨＣが、その時間に前記チャネルを得なければならない。そうでない場合は、前記ＣＣＨＣは、前記無線媒体がアイドルになるとすぐに前記チャネルにアクセスする必要がある。
【００３３】
本発明の実施例において、前記ＨＣＦによって定められるＴＸＯＰ制限が次のＨ２  ＭＡＣフレームの予定された開始の前の“残り時間”の継続時間より長い場合、前記チャネルにアクセスし、前述の通り、前記Ｈ２  ＭＡＣフレームのその後の割り当てを可能にすることが望ましい。従って、“残り時間”は、前記ステーションからの最後のフレームの受信に続き、次のＨ２フレームの予定された開始の前の時間間隔を表す。しかし、“残り時間”が前記ＴＸＯＰ制限より長い場合、前記ＣＣＨＣが前記ＱｏＳ  ＣＦ−Ｐｏｌｌを伝送するために待たなければならず、その間帯域が使用されないため、帯域の浪費が生じる。前記問題に対処するために、本発明は、図６と７を参照して以下に述べるとおり、帯域を効率的に利用する仕組みを更に提供する。
【００３４】
図６を参照すると、“残り時間”が前記ＴＸＯＰ制限より長い場合は、前記ＡＰ２は、いくつかのダウンリンク（すなわちＣＣＨＣから８０２．１１ＳＴＡへの）フレームを他のステーションに伝送し得る。すなわち、前記ＨＣＦが、前記残り時間、又は次の予定されたＨ２  ＭＡＣフレームまでの残りの時間を超えない継続時間を備えるフレーム（図６で“Ａ”と記される）を有する場合に、前記ＡＰ２は、予定されたＨ２フレーム伝送の前にフレーム“Ａ”を送信し得る。その後、前記ＣＣＨＣは、前記ＰＩＦＳの継続時間を待ち、ＱｏＳ  ＣＦ−Ｐｏｌｌを伝送し、予定されたＨ２  ＭＡＣフレームに割り当てる。
【００３５】
その他、前記ＡＰ２は、より短いＴＸＯＰを他のステーションに与え、図７に示す通り、次のＨ２  ＭＡＣフレームの予定された開始の前に、フレーム（図７で“Ｂ”と記される）が他のステーションによって前記ＡＰ２に伝送され得る。前記フレーム“Ｂ”の継続時間は前記残り時間を越えてはならない。その後、前記ＣＣＨＣは前記ＰＩＦＳの継続時間を待ち、前記ＱｏＳ  ＣＦ−Ｐｏｌｌを伝送し、次のＨ２  ＭＡＣフレームを開始する。
【００３６】
従って、前述の通りいずれかのフレームを伝送する十分な時間と関連するフレームが存在する場合、前記ＣＣＨＣは、ｔ＜＝−１＊（ＱｏＳ  ＣＦ−Ｐｏｌｌフレーム継続時間＋ＳＩＦＳ）の時間に自分に向けられたＱｏＳ  ＣＦ−Ｐｏｌｌの伝送を確保する間に前述のことを行い得る。前記状況により、そのいずれもが関連しない場合（すなわち、十分な時間がない場合、又は、ＣＣＨＣが、ダウンリンクのフレームを全く有さず、ＱｏＳ  ＣＦ−Ｐｏｌｌが予定されていない場合）、前記ＣＣＨＣは自分に向けられたＱｏＳ  ＣＦ−Ｐｏｌｌを直ちに送信し、次の予定されたＨ２  ＭＡＣフレーム（群）の開始を待ち得る。前記の場合、前記ＱｏＳ  ＣＦ−Ｐｏｌｌと次の予定されたＨ２  ＭＡＣフレームの間の最大の時間の長さは、ＴＸＯＰ制限＋ＳＩＦＳである。前記ＱｏＳ  ＣＦ−Ｐｏｌｌにより許可されたＴＸＯＰの継続時間は、少なくとも、（１）次の予定されたＨ２  ＭＡＣフレーム（群）の開始までの残り時間と、（２）ｎ＊２ｍ秒（ｎは予定されたＨ２  ＭＡＣフレームの数である）との合計でなければならない。
【００３７】
図８は、本発明の技術に従って、図５から７に関連して述べられた動作ステップを説明する前記ＡＰ２のソフトウェアの実施例の動作を示すフローチャートである。概して前記フローチャートはハードウェアの実施例にも同様に適用できる。前記フローチャートには、特定のプログラム言語の部法が全く描かれていない。逆に、前記フローチャートは、その技術に通常熟練した人が回路を作ったり、コンピュータソフトウェアを作成したりして、特定の装置に要求される処理を実行するために必要な機能的な情報を示したものである。
【００３８】
ステップ１００において、前記チャネルにアクセスし、予定された通り前記Ｈ２  ＭＡＣフレームを開始する前に、前記ＡＰ２のＣＣＨＣは、次の予定されたＨ２フレーム伝送までの継続時間を示す“残り時間”を決定する。ステップ１２０において、前記“残り時間”の継続時間が、ＣＣＨＣスーパーフレームで定められたＴＸＯＰ制限より短い場合、又はより正確には、前記残り時間が、［（ＱｏＳ  ＣＦ−Ｐｏｌｌフレーム継続時間＋ＳＩＦＳ），（ＴＸＯＰ制限＋ＱｏＳ  ＣＦ−Ｐｏｌｌフレーム継続時間＋ＳＩＦＳ）］の期間の間の場合には、前記ＣＣＨＣは、前記ＰＩＦＳのチャネルアイドル時間の継続時間を待ち、ステップ１４０において、前記ＱｏＳ  ＣＦ−Ｐｏｌｌフレームを自分に伝送し、前記Ｈ２  ＭＡＣフレームの伝送を許可する。ステップ１２０において、前記“残り時間”の継続時間が、前記ＴＸＯＰ制限より長く、又はより正確には、前記残り時間が、（ＴＸＯＰ制限＋ＱｏＳ  ＣＦ−Ｐｏｌｌフレーム継続時間＋ＳＩＦＳ）を越え、前記ＣＣＨＣが、次のＨ２  ＭＡＣフレームの予定された開始の前に終わり得るいくつかのダウンリンクのフレームを有する場合には、ステップ１６０において、前記ＣＣＨＣは前記ダウンリンクのフレームを他の８０２．１１ステーションに伝送する。その他、前記ＣＣＨＣは短いＴＸＯＰを他の８０２．１１ステーションに与え、次のＨ２  ＭＡＣフレームの予定された開始の前にフレームを送信し得る。
【００３９】
前述から明らかな通り、本発明は、８０２．１１ａ／ｅとＨ２の双方のＭＡＣ／ＰＨＹの実現を有する、ハイブリッドの８０２．１１ｅ  Ｈ２コントローラ（ＣＣＨＣ）が、各システムに対応したＱｏＳの譲歩をすることなく、８０２．１１ａ／ｅとＨ２との間でリソースの共有を可能にすることに利点を有する。他の実施例において、８０２．１１ｅとＨ／２のネットワークのそれぞれのための２つのＡＰが提供され、それぞれ８０２．１１ｅとＨ／２のシステムを制御する。この場合、前記２つのＡＰは相互に通信し、８０２．１１とＨ２のネットワーク間の事前に設定されたポリシーに基づいてリソースを共有する。Ｈ２  ＣＣは、８０２．１１ａのＰＨＹと、８０２．１１ｅのビーコンと、ＣＦ−Ｐｏｌｌ機能とを理解する必要がある。同様に、８０２．１１  ＨＣは、Ｈ２システムのＱｏＳの要求条件に合うようにＨ２のＣＦ−Ｐｏｌｌを調整する必要がある。そして、２つの制御要素間の折衝／通信が実行され、本発明の技術に従って実現し得る。
【００４０】
本発明の望ましい実施形態が説明されたが、その技術に熟練した人によって、多様な変更と改良が行われ、本発明の真の範囲を逸脱することなく、その要素の代わりに同等のものが代用され得ることがわかるだろう。加えて、主要な適用範囲を逸脱することなく、特定の状況と本発明の教示に適応するために多くの改良が行われ得る。従って、本発明は、本発明を実施するために検討されたベストモードとして開示された特定の実施例に限定されず、本発明は特許請求の範囲に含まれる全ての実施例を含むことを意図する。
【図面の簡単な説明】
【００４１】
【図１】本発明の実施例が適用される無線通信システムの構成を示す簡略化したブロック図である。
【図２】本発明の実施例による特定の基本サービスセット（ＢＳＳ）内のアクセスポイント（ＡＰ）と各ステーション（ＳＴＡ）の簡略化したブロック図を示したものである。
【図３】本発明によるスーパーフレームの詳細な構造を示したものである。
【図４】本発明による非衝突期間（ＣＦＰ）を表すスーパーフレームの詳細な構造を示したものである。
【図５】本発明による衝突期間（ＣＰ）を表すスーパーフレームの詳細な構造を示したものである。
【図６】本発明の別の実施例による衝突期間（ＣＰ）を表すスーパーフレームの詳細な構造である。
【図７】本発明の更なる実施例による衝突期間（ＣＰ）を表すスーパーフレームの詳細な構造である。
【図８】本発明の実施例による動作ステップを示したフローチャートである。
【図２】
2004535138.tif 000002
【図３】
2004535138.tif 000003
【図４】
2004535138.tif 000004
【図５】
2004535138.tif 000005
【図６】
2004535138.tif 000006
【図７】
2004535138.tif 000007
【図８】
2004535138.tif 000008
【国際公開パンフレット】
2004535138.tif 000009
2004535138.tif 000010
2004535138.tif 000011
2004535138.tif 000012
2004535138.tif 000013
2004535138.tif 000014
2004535138.tif 000015
2004535138.tif 000016
2004535138.tif 000017
2004535138.tif 000018
2004535138.tif 000019
2004535138.tif 000020
2004535138.tif 000021
2004535138.tif 000022
2004535138.tif 000023
2004535138.tif 000024
2004535138.tif 000025
2004535138.tif 000026
2004535138.tif 000027
2004535138.tif 000028
2004535138.tif 000029
2004535138.tif 000030
2004535138.tif 000031
2004535138.tif 000032
2004535138.tif 000033
2004535138.tif 000034
【国際公開パンフレット（コレクトバージョン）】
2004535138.tif 000035
【国際調査報告】
2004535138.tif 000036
2004535138.tif 000037
2004535138.tif 000038